(57)【要約】【課題】「ｅＩＣＩＣ」に用いられないＭＢＳＦＮサブフレームの設定、及び、「ｅＩＣＩＣ」に用いられるＡＢＳやＭＢＳＦＮサブフレームの設定を適切に変更する。【解決手段】本発明に係る移動通信方法は、無線基地局ｅＮＢ＃１０が、無線基地局ｅＮＢ＃１から受信したＭＢＳＦＮサブフレームの変更情報に基づいて、ＭＢＳＦＮサブフレームの設定を変更すると共に、ＡＢＳの設定を解除する工程と、無線基地局ｅＮＢ＃１０が、無線基地局ｅＮＢ＃１から受信した「ＡＢＳのパターン」によって指定されているサブフレームを、ＡＢＳとして新たに設定する工程とを有する。【選択図】図９
2012090356.tif 000002
【特許請求の範囲】
【請求項１】
第１無線基地局配下の第１セル内に第２無線基地局配下の第２セルが地理的に重畳して配置されている移動通信システムにおいて、第１サブフレームとして設定されているサブフレーム及び第２サブフレームとして設定されているサブフレームを用いて、該第１セルと該第２セルとの間でセル間干渉調整を行う移動通信方法であって、
前記第２無線基地局が、前記第１無線基地局から受信した第１設定情報によって指定されているサブフレームを、前記第１サブフレームとして設定する工程と、
前記第２無線基地局が、前記第１無線基地局から受信した第２設定情報によって指定されているサブフレームを、前記第２サブフレームとして設定する工程と、
前記第２無線基地局が、前記第１無線基地局から受信した前記第１サブフレームの変更情報に基づいて、該第１サブフレームの設定を変更すると共に、前記第２サブフレームの設定を解除する工程と、
前記第２無線基地局が、前記第１無線基地局から受信した第２設定情報によって指定されているサブフレームを、前記第２サブフレームとして新たに設定する工程とを有しており、
前記第１無線基地局は、前記第１サブフレームとして設定されているサブフレームでは、先頭のＯＦＤＭシンボルにおいてのみ第１セル用の参照信号を送信することができ、
前記第１無線基地局は、前記第２サブフレームとして設定されているサブフレームでは、所定のＯＦＤＭシンボルにおいて第１セル用の参照信号を送信することができることを特徴とする移動通信方法。
【請求項２】
第１無線基地局配下の第１セル内に第２無線基地局配下の第２セルが地理的に重畳して配置されている移動通信システムにおいて、第１サブフレームとして設定されているサブフレーム及び第２サブフレームとして設定されているサブフレームを用いて、該第１セルと該第２セルとの間でセル間干渉調整を行う移動通信方法であって、
前記第２無線基地局が、前記第１無線基地局から受信した第１設定情報によって指定されているサブフレームを、前記第１サブフレームとして設定する工程と、
前記第２無線基地局が、前記第１無線基地局から受信した第２設定情報によって指定されているサブフレームを、前記第２サブフレームとして設定する工程と、
前記第２無線基地局が、前記第１無線基地局から受信した１つのメッセージに含まれる前記第１サブフレームの変更情報及び前記第２サブフレームの変更情報に基づいて、該第１サブフレーム及び該第２サブフレームの設定を変更する工程とを有しており、
前記第１無線基地局は、前記第１サブフレームとして設定されているサブフレームでは、先頭のＯＦＤＭシンボルにおいてのみ第１セル用の参照信号を送信することができ、
前記第１無線基地局は、前記第２サブフレームとして設定されているサブフレームでは、所定のＯＦＤＭシンボルにおいて第１セル用の参照信号を送信することができることを特徴とする移動通信方法。
【請求項３】
第１無線基地局配下の第１セル内に第２無線基地局配下の第２セルが地理的に重畳して配置されている移動通信システムであって、第１サブフレームとして設定されているサブフレーム及び第２サブフレームとして設定されているサブフレームを用いて、該第１セルと該第２セルとの間でセル間干渉調整を行うことができるように構成されている移動通信システムにおいて、該第２無線基地局として機能することができる無線基地局であって、
前記第２無線基地局が、前記第１無線基地局から受信した第１設定情報によって指定されているサブフレームを、前記第１サブフレームとして設定し、該第１無線基地局から受信した第２設定情報によって指定されているサブフレームを、前記第２サブフレームとして設定するように構成されている設定部を具備しており、
前記設定部は、前記第１無線基地局から受信した前記第１サブフレームの変更情報に基づいて、該第１サブフレームの設定を変更すると共に、前記第２サブフレームの設定を解除するように構成されていることを特徴とする無線基地局。
【請求項４】
第１無線基地局配下の第１セル内に第２無線基地局配下の第２セルが地理的に重畳して配置されている移動通信システムであって、第１サブフレームとして設定されているサブフレーム及び第２サブフレームとして設定されているサブフレームを用いて、該第１セルと該第２セルとの間でセル間干渉調整を行うことができるように構成されている移動通信システムにおいて、該第１無線基地局として機能することができる無線基地局であって、
前記第１サブフレーム及び前記第２サブフレームとして設定されるべきサブフレームを決定するように構成されている設定部と、
前記第２無線基地局に対して、第１設定情報によって、前記第１サブフレームとして設定されるべきサブフレームを通知し、第２設定情報によって、前記第２サブフレームとして設定されるべきサブフレームを通知するように構成されている送信部とを具備しており、
前記設定部が、前記第１サブフレーム及び前記第２サブフレームとして設定されるべきサブフレームを変更することを決定した場合、前記送信部は、１つのメッセージによって、前記第２無線基地局に対して、前記第１サブフレームの変更情報及び前記第２サブフレームの変更情報を通知するように構成されていることを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式において、セル間の干渉を低減するために、「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ、セル間干渉調整）」を用いることが検討されている。
【０００３】
ここで、「ｅＩＣＩＣ」の制御法の一種である「Ｔｉｍｅ  ｄｏｍａｉｎ  ｒｅｓｏｕｒｃｅ  ｐａｒｔｉｔｉｏｎｉｎｇ」では、セル間の干渉を低減するために、ＡＢＳ（Ａｌｍｏｓｔ  Ｂｌａｎｋ  Ｓｕｂｆｒａｍｅ）だけでなく、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームを用いることができるように構成されている。
【０００４】
具体的には、無線基地局ｅＮＢ＃１配下のセル＃１（例えば、Ｍａｃｒｏセル）内に無線基地局ｅＮＢ＃１０配下のセル＃１０（例えば、ＰｉｃｏセルやＦｅｍｔｏセル）が地理的に重畳して配置されている移動通信システムにおいて、「Ｔｉｍｅ  ｄｏｍａｉｎ  ｒｅｓｏｕｒｃｅ  ｐａｒｔｉｔｉｏｎｉｎｇ」が適用されている場合、セル＃１においてＡＢＳ及びＭＢＳＦＮサブフレームを設定することによって、セル＃１からセル＃１０に対する干渉を低減することができるように構成されている。
【先行技術文献】
【非特許文献】
【０００５】
【非特許文献１】３ＧＰＰ寄書  Ｒ１-１０５７７９
【非特許文献２】３ＧＰＰ  ＴＳ３６.４２３
【非特許文献３】３ＧＰＰ  ＴＳ３６.３００
【非特許文献４】３ＧＰＰ  ＴＳ３６.２１１
【非特許文献５】３ＧＰＰ  ＴＳ３６.３０５
【発明の概要】
【発明が解決しようとする課題】
【０００６】
しかしながら、従来のＬＴＥ方式では、ＭＢＳＦＮサブフレームには、「ｅＩＣＩＣ」に用いられるＭＢＳＦＮサブフレームもあれば、無線基地局ｅＮＢ＃１からのＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）用データを送信したり、「ＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）」による移動局位置測位に用いるＰｏｓｉｔｉｏｎｉｎｇ  Ｒｅｆｅｒｅｎｃｅ  Ｓｉｇｎａｌを送信したり、Ｅｎｅｒｇｙ  Ｓａｖｉｎｇに用いられたりする、すなわち、「ｅＩＣＩＣ」に用いられない通常のＭＢＳＦＮサブフレームもある。
【０００７】
ここで、従来のＬＴＥ方式では、「ｅＩＣＩＣ」に用いられないＭＢＳＦＮサブフレームの設定を変更する場合、「ｅＩＣＩＣ」に用いられるＡＢＳやＭＢＳＦＮサブフレームの設定をどのように変更するべきかについて規定されていないという問題点があった。
【０００８】
そこで、本発明は、上述の課題に鑑みてなされたものであり、「ｅＩＣＩＣ」に用いられないＭＢＳＦＮサブフレームの設定、及び、「ｅＩＣＩＣ」に用いられるＡＢＳやＭＢＳＦＮサブフレームの設定を適切に変更することができる移動通信方法及び無線基地局を提供することを目的とする。
【課題を解決するための手段】
【０００９】
本発明の第１の特徴は、第１無線基地局配下の第１セル内に第２無線基地局配下の第２セルが地理的に重畳して配置されている移動通信システムにおいて、第１サブフレームとして設定されているサブフレーム及び第２サブフレームとして設定されているサブフレームを用いて、該第１セルと該第２セルとの間でセル間干渉調整を行う移動通信方法であって、前記第２無線基地局が、前記第１無線基地局から受信した第１設定情報によって指定されているサブフレームを、前記第１サブフレームとして設定する工程と、前記第２無線基地局が、前記第１無線基地局から受信した第２設定情報によって指定されているサブフレームを、前記第２サブフレームとして設定する工程と、前記第２無線基地局が、前記第１無線基地局から受信した前記第１サブフレームの変更情報に基づいて、該第１サブフレームの設定を変更すると共に、前記第２サブフレームの設定を解除する工程と、前記第２無線基地局が、前記第１無線基地局から受信した第２設定情報によって指定されているサブフレームを、前記第２サブフレームとして新たに設定する工程とを有しており、前記第１無線基地局は、前記第１サブフレームとして設定されているサブフレームでは、先頭のＯＦＤＭシンボルにおいてのみ第１セル用の参照信号を送信することができ、前記第１無線基地局は、前記第２サブフレームとして設定されているサブフレームでは、所定のＯＦＤＭシンボルにおいて第１セル用の参照信号を送信することができることを要旨とする。
【００１０】
本発明の第２の特徴は、第１無線基地局配下の第１セル内に第２無線基地局配下の第２セルが地理的に重畳して配置されている移動通信システムにおいて、第１サブフレームとして設定されているサブフレーム及び第２サブフレームとして設定されているサブフレームを用いて、該第１セルと該第２セルとの間でセル間干渉調整を行う移動通信方法であって、前記第２無線基地局が、前記第１無線基地局から受信した第１設定情報によって指定されているサブフレームを、前記第１サブフレームとして設定する工程と、前記第２無線基地局が、前記第１無線基地局から受信した第２設定情報によって指定されているサブフレームを、前記第２サブフレームとして設定する工程と、前記第２無線基地局が、前記第１無線基地局から受信した１つのメッセージに含まれる前記第１サブフレームの変更情報及び前記第２サブフレームの変更情報に基づいて、該第１サブフレーム及び該第２サブフレームの設定を変更する工程とを有しており、前記第１無線基地局は、前記第１サブフレームとして設定されているサブフレームでは、先頭のＯＦＤＭシンボルにおいてのみ第１セル用の参照信号を送信することができ、前記第１無線基地局は、前記第２サブフレームとして設定されているサブフレームでは、所定のＯＦＤＭシンボルにおいて第１セル用の参照信号を送信することができることを要旨とする。
【００１１】
本発明の第３の特徴は、第１無線基地局配下の第１セル内に第２無線基地局配下の第２セルが地理的に重畳して配置されている移動通信システムであって、第１サブフレームとして設定されているサブフレーム及び第２サブフレームとして設定されているサブフレームを用いて、該第１セルと該第２セルとの間でセル間干渉調整を行うことができるように構成されている移動通信システムにおいて、該第２無線基地局として機能することができる無線基地局であって、前記第２無線基地局が、前記第１無線基地局から受信した第１設定情報によって指定されているサブフレームを、前記第１サブフレームとして設定し、該第１無線基地局から受信した第２設定情報によって指定されているサブフレームを、前記第２サブフレームとして設定するように構成されている設定部を具備しており、前記設定部は、前記第１無線基地局から受信した前記第１サブフレームの変更情報に基づいて、該第１サブフレームの設定を変更すると共に、前記第２サブフレームの設定を解除するように構成されていることを要旨とする。
【００１２】
本発明の第４の特徴は、第１無線基地局配下の第１セル内に第２無線基地局配下の第２セルが地理的に重畳して配置されている移動通信システムであって、第１サブフレームとして設定されているサブフレーム及び第２サブフレームとして設定されているサブフレームを用いて、該第１セルと該第２セルとの間でセル間干渉調整を行うことができるように構成されている移動通信システムにおいて、該第１無線基地局として機能することができる無線基地局であって、前記第１サブフレーム及び前記第２サブフレームとして設定されるべきサブフレームを決定するように構成されている設定部と、前記第２無線基地局に対して、第１設定情報によって、前記第１サブフレームとして設定されるべきサブフレームを通知し、第２設定情報によって、前記第２サブフレームとして設定されるべきサブフレームを通知するように構成されている送信部とを具備しており、前記設定部が、前記第１サブフレーム及び前記第２サブフレームとして設定されるべきサブフレームを変更することを決定した場合、前記送信部は、１つのメッセージによって、前記第２無線基地局に対して、前記第１サブフレームの変更情報及び前記第２サブフレームの変更情報を通知するように構成されていることを要旨とする。
【発明の効果】
【００１３】
以上説明したように、本発明によれば、「ｅＩＣＩＣ」に用いられないＭＢＳＦＮサブフレームの設定、及び、「ｅＩＣＩＣ」に用いられるＡＢＳやＭＢＳＦＮサブフレームの設定を適切に変更することができる移動通信方法及び無線基地局を提供することができる。
【図面の簡単な説明】
【００１４】
【図１】本発明の第１の実施形態に係る移動通信システムの全体構成図である。
【図２】本発明の第１の実施形態に係る無線基地局ｅＮＢ＃１の機能ブロック図である。
【図３】本発明の第１の実施形態に係る無線基地局ｅＮＢ＃１０の機能ブロック図である。
【図４】本発明の第１の実施形態に係る無線基地局ｅＮＢ＃１０の動作を説明するための図である。
【図５】本発明の第１の実施形態に係る無線基地局ｅＮＢ＃１０の動作を説明するための図である。
【図６】本発明の第１の実施形態に係る無線基地局ｅＮＢ＃１０の動作を説明するための図である。
【図７】本発明の第１の実施形態に係る無線基地局ｅＮＢ＃１０の動作を説明するための図である。
【図８】本発明の第１の実施形態に係る無線基地局ｅＮＢ＃１０の動作を説明するための図である。
【図９】本発明の第１の実施形態に係る移動通信システムの動作を説明するための図である。
【図１０】本発明の変更例１に係る移動通信システムで用いられる「ｅＮＢ  Ｃｏｎｆｉｇｕｒａｔｉｏｎ  Ｕｐｄａｔｅ」のフォーマットの一例を示す図である。
【図１１】本発明の変更例１に係る移動通信システムで用いられる「ｅＮＢ  Ｃｏｎｆｉｇｕｒａｔｉｏｎ  Ｕｐｄａｔｅ」内の情報要素「Ｓｅｒｖｅｄ  Ｃｅｌｌ  Ｉｎｆｏｒｍａｔｉｏｎ」のフォーマットの一例を示す図である。
【図１２】本発明の変更例１に係る移動通信システムで用いられる「ｅＮＢ  Ｃｏｎｆｉｇｕｒａｔｉｏｎ  Ｕｐｄａｔｅ」内の情報要素「Ｓｅｒｖｅｄ  Ｃｅｌｌ  Ｉｎｆｏｒｍａｔｉｏｎ」内の情報要素「Ａｌｍｏｓｔ  Ｂｌａｎｋ  Ｓｕｂｆｒａｍｅ  Ａｌｌｏｃａｔｉｏｎ」のフォーマットの一例を示す図である。
【図１３】本発明の変更例１に係る移動通信システムの動作を説明するための図である。
【発明を実施するための形態】
【００１５】
（本発明の第１の実施形態に係る移動通信システム）
図１乃至図９を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１６】
図１に示すように、本実施形態に係る移動通信システムは、セル＃１を管理する無線基地局ｅＮＢ＃１と、セル＃１０を管理する無線基地局ｅＮＢ＃１０とを具備している。
【００１７】
例えば、セル＃１は、Ｍａｃｒｏセルであり、セル＃１０は、ＣＳＧセルやＦｅｍｔｏセルやＭｉｃｒｏセルやＰｉｃｏセル等である。
【００１８】
また、本実施形態に係る移動通信システムでは、図１に示すように、無線基地局ｅＮＢ＃１配下のセル＃１内に無線基地局ｅＮＢ＃１０配下のセル＃１０が地理的に重畳して配置されている。
【００１９】
また、本実施形態に係る移動通信システムでは、セル＃１からセル＃１０への干渉を低減するために、「ｅＩＣＩＣ」の一種である「Ｔｉｍｅ  ｄｏｍａｉｎ  ｒｅｓｏｕｒｃｅ  ｐａｒｔｉｔｉｏｎｉｎｇ」を適用することができるように構成されている。
【００２０】
図２に示すように、無線基地局ｅＮＢ＃１は、設定部１１と、送信部１２とを具備している。
【００２１】
設定部１１は、「ｅＩＣＩＣ」に用いるべきサブフレーム（ＡＢＳ又はＭＢＳＦＮサブフレーム）を決定するように構成されている。
【００２２】
ここで、無線基地局ｅＮＢ＃１は、ＡＢＳとして設定されているサブフレームでは、全てのＯＦＤＭシンボルにおいて、ＰＤＳＣＨデータを送信せず、所定のＯＦＤＭシンボルにおいて、ＣＲＳ（Ｃｅｌｌ  Ｒｅｆｅｒｅｎｃｅ  Ｓｉｇｎａｌ、第１セル用の参照信号）等の制御信号を送信するように構成されている。
【００２３】
また、無線基地局ｅＮＢ＃１は、「ｅＩＣＩＣ」に用いられるＭＢＳＦＮサブフレームとして設定されているサブフレームでは、先頭のＯＦＤＭシンボルにおいてのみＣＲＳを送信するように構成されている。
【００２４】
すなわち、無線基地局ｅＮＢ＃１は、「ｅＩＣＩＣ」に用いられるＭＢＳＦＮサブフレームとして設定されているサブフレームでは、全てのＯＦＤＭシンボルにおいてＰＤＳＣＨデータを送信せず、先頭のＯＦＤＭシンボル以外のＯＦＤＭシンボルにおいてＣＲＳ等の制御信号を送信しないように構成されている。
【００２５】
一方、無線基地局ｅＮＢ＃１は、「ｅＩＣＩＣ」に用いられない通常のＭＢＳＦＮサブフレームとして設定されているサブフレームでは、ＭＢＭＳ用データを送信することができるように構成されている。
【００２６】
設定部１１は、ＡＢＳとして設定されるべきサブフレーム及びＭＢＳＦＮサブフレームとして設定されるべきサブフレームを、時間的に重なるように設定してもよい。
【００２７】
なお、設定部１１は、ＭＢＳＦＮサブフレームとして設定されているサブフレームのうち、ＭＢＭＳ用データが送信されているサブフレームを、ＡＢＳとして設定されるべきサブフレームとしないように構成されていてもよい。
【００２８】
送信部１２は、無線基地局ｅＮＢ＃１０に対して、ＡＢＳ又はＭＢＳＦＮサブフレームとして設定されるべきサブフレームに係る情報（ＡＢＳのパターン又はＭＢＳＦＮサブフレームのパターン）を通知するように構成されている。
【００２９】
例えば、送信部１２は、無線基地局ｅＮＢ＃１０に対して送信される「（Ｘ２）ｅＮＢ  Ｃｏｎｆｉｇｕｒａｔｉｏｎ  Ｕｐｄａｔｅ」や「Ｘ２  Ｓｅｔｕｐ  Ｒｅｑｕｅｓｔ」によって、ＭＢＳＦＮサブフレームとして設定されるべきサブフレームに係る情報（ＭＢＳＦＮサブフレームのパターン）を通知するように構成されている。
【００３０】
なお、送信部１２は、無線基地局ｅＮＢ＃１０に対して送信される「Ｘ２  Ｓｅｔｕｐ  Ｒｅｑｕｅｓｔ」によって、ＭＢＳＦＮサブフレームとして設定されるべきサブフレームに係る情報（ＭＢＳＦＮサブフレームのパターン）を通知するように構成されていてもよい。
【００３１】
また、送信部１２は、無線基地局ｅＮＢ＃１０に対して送信される「Ｌｏａｄ  Ｉｎｆｏｒｍａｔｉｏｎ」によって、ＡＢＳとして設定されるべきサブフレームに係る情報（ＡＢＳのパターン）を通知するように構成されている。
【００３２】
さらに、送信部１２は、無線基地局ｅＮＢ＃１０に対して送信される「（Ｘ２）ｅＮＢ  Ｃｏｎｆｉｇｕｒａｔｉｏｎ  Ｕｐｄａｔｅ」や「Ｘ２  Ｓｅｔｕｐ  Ｒｅｑｕｅｓｔ」によって、ＭＢＳＦＮサブフレームとして設定されているサブフレームの変更を指示する情報（ＭＢＳＦＮサブフレームのパターンの変更情報）を通知するように構成されている。
【００３３】
或いは、送信部１２は、無線基地局ｅＮＢ＃１０に対して送信される「Ｘ２  Ｓｅｔｕｐ  Ｒｅｓｐｏｎｓｅ」によって、ＭＢＳＦＮサブフレームとして設定されているサブフレームの変更を指示する情報（ＭＢＳＦＮサブフレームのパターンの変更情報）を通知するように構成されていてもよい。
【００３４】
図３に示すように、無線基地局ｅＮＢ＃１０は、受信部２１と、設定部２２とを具備している。
【００３５】
受信部２１は、無線基地局ｅＮＢ＃１から、ＡＢＳ又はＭＢＳＦＮサブフレームとして設定されるべきサブフレームに係る情報（ＡＢＳのパターン又はＭＢＳＦＮサブフレームのパターン）を受信するように構成されている。
【００３６】
例えば、受信部２１は、無線基地局ｅＮＢ＃１によって送信された「（Ｘ２）ｅＮＢ  Ｃｏｎｆｉｇｕｒａｔｉｏｎ  Ｕｐｄａｔｅ」や「Ｘ２  Ｓｅｔｕｐ  Ｒｅｑｕｅｓｔ」を介して、ＭＢＳＦＮサブフレームとして設定されるべきサブフレームに係る情報（ＭＢＳＦＮサブフレームのパターン）を受信するように構成されている。
【００３７】
なお、受信部２１は、無線基地局ｅＮＢ＃１によって送信された「Ｘ２  Ｓｅｔｕｐ  Ｒｅｓｐｏｎｓｅ」を介して、ＭＢＳＦＮサブフレームとして設定されるべきサブフレームに係る情報（ＭＢＳＦＮサブフレームのパターン）を受信するように構成されていてもよい。
【００３８】
また、受信部２１は、無線基地局ｅＮＢ＃１によって送信された「Ｌｏａｄ  Ｉｎｆｏｒｍａｔｉｏｎ」を介して、ＡＢＳとして設定されるべきサブフレームに係る情報（ＡＢＳのパターン）を受信するように構成されている。
【００３９】
さらに、受信部２１は、無線基地局ｅＮＢ＃１によって送信された「（Ｘ２）ｅＮＢ  Ｃｏｎｆｉｇｕｒａｔｉｏｎ  Ｕｐｄａｔｅ」を介して、ＭＢＳＦＮサブフレームとして設定されているサブフレームの変更を指示する情報（ＭＢＳＦＮサブフレームのパターンの変更情報）を受信するように構成されている。
【００４０】
設定部２２は、「ｅＩＣＩＣ」に用いられているサブフレームを検出するように構成されている。
【００４１】
具体的には、設定部２２は、図４及び図５に示すように、無線基地局ｅＮＢ＃１によって「Ｌｏａｄ  Ｉｎｆｏｒｍａｔｉｏｎ」で通知されたＡＢＳとして設定されるべき１つ又は複数のサブフレームが、ＭＢＳＦＮサブフレームとして設定されていない場合、かかるサブフレームが、「ｅＩＣＩＣ」に用いられていると看做すように構成されていてもよい。
【００４２】
例えば、図４に示すように、設定部２２は、受信部２１によって無線基地局ｅＮＢ＃１０によって送信された「Ｌｏａｄ  Ｉｎｆｏｒｍａｔｉｏｎ」が受信された時点で、ＭＢＳＦＮサブフレームとして設定されているサブフレームが存在しないと判断した場合、例えば、無線基地局ｅＮＢ＃１０によってＭＢＳＦＮサブフレームのパターンが通知されていないと判断した場合には、かかる「Ｌｏａｄ  Ｉｎｆｏｒｍａｔｉｏｎ」で通知されたＡＢＳとして設定されるべき１つ又は複数のサブフレーム（Ａ）が、「ｅＩＣＩＣ」に用いられていると看做すように構成されていてもよい。
【００４３】
かかる場合、設定部２２は、サブフレーム（Ａ）が、「ｅＩＣＩＣ」に用いられるＡＢＳとして設定されていると看做すように構成されている。
【００４４】
また、図５に示すように、設定部２２は、受信部２１によって無線基地局ｅＮＢ＃１０によって送信された「Ｌｏａｄ  Ｉｎｆｏｒｍａｔｉｏｎ」が受信された時点で、ＭＢＳＦＮサブフレームとして設定されているサブフレーム（Ｅ１）が存在すると判断した場合であっても、かかる「Ｌｏａｄ  Ｉｎｆｏｒｍａｔｉｏｎ」で通知されたＡＢＳとして設定されるべき１つ又は複数のサブフレーム（Ｅ２）とサブフレーム（Ｅ１）とが時間的に重なっていない場合には、サブフレーム（Ｅ２）が、「ｅＩＣＩＣ」に用いられていると看做し、サブフレーム（Ｅ１）において、ＭＢＭＳ用データが送信されていると看做すように構成されていてもよい。
【００４５】
かかる場合、設定部２２は、サブフレーム（Ｅ２）が、「ｅＩＣＩＣ」に用いられるＡＢＳとして設定されていると看做し、サブフレーム（Ｅ１）が、「ｅＩＣＩＣ」に用いられない通常のＭＢＳＦＮサブフレームとして設定されていると看做すように構成されている。
【００４６】
また、設定部２２は、図６乃至図８に示すように、無線基地局ｅＮＢ＃１によって「Ｌｏａｄ  Ｉｎｆｏｒｍａｔｉｏｎ」で通知されたＡＢＳとして設定されるべきサブフレームの中に、ＭＢＳＦＮサブフレームとして設定されているサブフレームが存在する場合、かかるＭＢＳＦＮサブフレームとして設定されているサブフレームが、「ｅＩＣＩＣ」に用いられていると看做すように構成されていてもよい。
【００４７】
例えば、図６に示すように、設定部２２は、無線基地局ｅＮＢ＃１によって「Ｌｏａｄ  Ｉｎｆｏｒｍａｔｉｏｎ」で通知されたＡＢＳとして設定されるべきサブフレーム（Ｂ）とＭＢＳＦＮサブフレームとして設定されているサブフレーム（Ｂ）とが一致している場合、かかるサブフレーム（Ｂ）が、「ｅＩＣＩＣ」に用いられていると看做すように構成されていてもよい。
【００４８】
かかる場合、設定部２２は、サブフレーム（Ｂ）が、「ｅＩＣＩＣ」に用いられるＭＢＳＦＮサブフレームとして設定されていると看做すように構成されている。
【００４９】
また、図７に示すように、設定部２２は、ＭＢＳＦＮサブフレームとして設定されているサブフレーム（Ｃ１）及び（Ｃ２）の中に、無線基地局ｅＮＢ＃１によって「Ｌｏａｄ  Ｉｎｆｏｒｍａｔｉｏｎ」で通知されたＡＢＳとして設定されるべきサブフレーム（Ｃ１）が含まれている場合、かかるサブフレーム（Ｃ１）が、「ｅＩＣＩＣ」に用いられていると看做し、サブフレーム（Ｃ２）において、ＭＢＭＳ用データが送信されていると看做すように構成されていてもよい。
【００５０】
かかる場合、設定部２２は、サブフレーム（Ｃ１）が、「ｅＩＣＩＣ」に用いられるＭＢＳＦＮサブフレームとして設定されていると看做し、サブフレーム（Ｃ２）が、「ｅＩＣＩＣ」に用いられない通常のＭＢＳＦＮサブフレームとして設定されていると看做すように構成されている。
【００５１】
また、図８に示すように、設定部２２は、無線基地局ｅＮＢ＃１によって「Ｌｏａｄ  Ｉｎｆｏｒｍａｔｉｏｎ」で通知されたＡＢＳとして設定されるべきサブフレーム（Ｄ１）及び（Ｄ２）の中に、ＭＢＳＦＮサブフレームとして設定されているサブフレーム（Ｄ１）が含まれている場合、かかるサブフレーム（Ｄ１）及び（Ｄ２）が、「ｅＩＣＩＣ」に用いられていると看做すように構成されていてもよい。
【００５２】
かかる場合、設定部２２は、サブフレーム（Ｄ１）が、「ｅＩＣＩＣ」に用いられるＭＢＳＦＮサブフレームとして設定されていると看做し、サブフレーム（Ｄ２）が、「ｅＩＣＩＣ」に用いられるＡＢＳとして設定されていると看做すように構成されている。
【００５３】
また、受信部２１が、ＭＢＳＦＮサブフレームのパターンの変更情報を含む「（Ｘ２）ｅＮＢ  Ｃｏｎｆｉｇｕｒａｔｉｏｎ  Ｕｐｄａｔｅ」を受信した場合、設定部２２は、かかるＭＢＳＦＮサブフレームのパターンの変更情報に基づいて、ＭＢＳＦＮサブフレームの設定を変更すると共に、ＡＢＳの設定を解除するように構成されている。
【００５４】
その後、受信部２１が、「ＡＢＳのパターン」を含む「Ｌｏａｄ  Ｉｎｆｏｒｍａｔｉｏｎ」を受信した場合に、設定部２２は、かかる「ＡＢＳのパターン」によって指定されているサブフレームを、ＡＢＳとして新たに設定するように構成されている。
【００５５】
以下、図９を参照して、本実施形態に係る移動通信システムの動作について説明する。
【００５６】
図９に示すように、ステップＳ１００１において、無線基地局ｅＮＢ＃１は、無線基地局ｅＮＢ＃１０に対して、ＭＢＳＦＮサブフレームとして設定されるべきサブフレームに係る情報（ＭＢＳＦＮサブフレームのパターン）を含む「（Ｘ２）ｅＮＢ  Ｃｏｎｆｉｇｕｒａｔｉｏｎ  Ｕｐｄａｔｅ」或いは「Ｘ２  Ｓｅｔｕｐ  Ｒｅｑｕｅｓｔ」を送信する。
【００５７】
ステップＳ１００２において、無線基地局ｅＮＢ＃１０は、無線基地局ｅＮＢ＃１に対して、「（Ｘ２）ｅＮＢ  Ｃｏｎｆｉｇｕｒａｔｉｏｎ  Ｕｐｄａｔｅ  Ａｃｋｎｏｗｌｅｄｇｅｍｅｎｔ」或いは「Ｘ２  Ｓｅｔｕｐ  Ｒｅｓｐｏｎｓｅ」を送信する。
【００５８】
ここで、無線基地局ｅＮＢ＃１０は、ＭＢＳＦＮサブフレームのパターンによって指定されているサブフレームを、ＭＢＳＦＮサブフレームとして設定する。なお、かかる時点では、無線基地局ｅＮＢ＃１０は、「ｅＩＣＩＣ」に用いられるＭＢＳＦＮサブフレームと「ｅＩＣＩＣ」に用いられないＭＢＳＦＮサブフレームとを区別することができない。
【００５９】
ステップＳ１００３において、無線基地局ｅＮＢ＃１は、無線基地局ｅＮＢ＃１０に対して、ＡＢＳとして設定されるべきサブフレームに係る情報（ＡＢＳのパターン）を含む「Ｌｏａｄ  Ｉｎｆｏｒｍａｔｉｏｎ」を送信する。
【００６０】
ここで、無線基地局ｅＮＢ＃１０は、ＡＢＳのパターンによって指定されているサブフレームを、ＡＢＳとして設定し、上述の図４乃至図８に示すように、「ｅＩＣＩＣ」に用いられているサブフレームを検出する。
【００６１】
ステップＳ１００４において、無線基地局ｅＮＢ＃１は、無線基地局ｅＮＢ＃１０に対して、ＭＢＳＦＮサブフレームとして設定されているサブフレームの変更を指示する情報（ＭＢＳＦＮサブフレームのパターンの変更情報）を含む「（Ｘ２）ｅＮＢ  Ｃｏｎｆｉｇｕｒａｔｉｏｎ  Ｕｐｄａｔｅ」を送信する。
【００６２】
ステップＳ１００５において、無線基地局ｅＮＢ＃１０は、かかるＭＢＳＦＮサブフレームのパターンの変更情報に基づいて、ＭＢＳＦＮサブフレームの設定を変更すると共に、ＡＢＳの設定を解除し、無線基地局ｅＮＢ＃１に対して、「（Ｘ２）ｅＮＢ  Ｃｏｎｆｉｇｕｒａｔｉｏｎ  Ｕｐｄａｔｅ  Ａｃｋｎｏｗｌｅｄｇｅｍｅｎｔ」を送信する。
【００６３】
ステップＳ１００６において、無線基地局ｅＮＢ＃１は、無線基地局ｅＮＢ＃１０に対して、ＡＢＳとして設定されるべきサブフレームに係る情報（ＡＢＳのパターン）を含む「Ｌｏａｄ  Ｉｎｆｏｒｍａｔｉｏｎ」を送信する。
【００６４】
ここで、無線基地局ｅＮＢ＃１０は、ＡＢＳのパターンによって指定されているサブフレームを、ＡＢＳとして新たに設定し、上述の図４乃至図８に示すように、「ｅＩＣＩＣ」に用いられているサブフレームを検出する。
【００６５】
本実施形態に係る移動通信システムによれば、図９に示すシーケンスによって、「ｅＩＣＩＣ」に用いられないＭＢＳＦＮサブフレームの設定、及び、「ｅＩＣＩＣ」に用いられるＡＢＳやＭＢＳＦＮサブフレームの設定を適切に変更することができる。
【００６６】
（変更例１）
以下、図１０乃至図１３を参照して、本発明の変更例１に係る移動通信システムについて、上述の第１の実施形態に係る移動通信システムとの相違点に着目して説明する。
【００６７】
本変更例１に係る移動通信システムでは、無線基地局ｅＮＢ＃１の設定部１１が、ＭＢＳＦＮサブフレーム及びＡＢＳとして設定されるべきサブフレームを変更することを決定した場合、無線基地局ｅＮＢ＃１の送信部１２は、１つの「（Ｘ２）ｅＮＢ  Ｃｏｎｆｉｇｕｒａｔｉｏｎ  Ｕｐｄａｔｅ」によって、無線基地局ｅＮＢ＃１０に対して、ＭＢＳＦＮサブフレームのパターンの変更情報及びＡＢＳのパターンの変更情報を通知するように構成されている。
【００６８】
例えば、送信部１２は、「（Ｘ２）ｅＮＢ  Ｃｏｎｆｉｇｕｒａｔｉｏｎ  Ｕｐｄａｔｅ（図１０参照）」内の情報要素「Ｓｅｒｖｅｄ  Ｃｅｌｌ  Ｉｎｆｏｒｍａｔｉｏｎ（図１１参照）」内の情報要素「ＭＢＳＦＮ  Ｓｕｂｆｒａｍｅ  Ｉｎｆｏ」内に、ＭＢＳＦＮサブフレームのパターンの変更情報を設定することができるように構成されている。
【００６９】
また、送信部１２は、「（Ｘ２）ｅＮＢ  Ｃｏｎｆｉｇｕｒａｔｉｏｎ  Ｕｐｄａｔｅ（図１０参照）」内の情報要素「Ｓｅｒｖｅｄ  Ｃｅｌｌ  Ｉｎｆｏｒｍａｔｉｏｎ（図１１参照）」内の情報要素「Ａｌｍｏｓｔ  Ｂｌａｎｋ  Ｓｕｂｆｒａｍｅ  Ｉｎｆｏｒｍａｔｉｏｎ（図１２参照）」内に、ＡＢＳのパターンの変更情報を設定することができるように構成されている。
【００７０】
また、無線基地局ｅＮＢ＃１０の受信部２１が、無線基地局ｅＮＢ＃１から、「ＭＢＳＦＮサブフレームのパターンの変更情報」及び「ＡＢＳのパターンの変更情報」を含む「（Ｘ２）ｅＮＢ  Ｃｏｎｆｉｇｕｒａｔｉｏｎ  Ｕｐｄａｔｅ」を受信した場合、無線基地局ｅＮＢ＃１０の設定部２２は、かかる「ＭＢＳＦＮサブフレームのパターンの変更情報」及び「ＡＢＳのパターンの変更情報」に基づいて、ＭＢＳＦＮサブフレーム及びＡＢＳの設定を変更するように構成されている。
【００７１】
以下、図１３を参照して、本変更例１に係る移動通信システムの動作について説明する。
【００７２】
図１３に示すように、ステップＳ２００１において、無線基地局ｅＮＢ＃１は、無線基地局ｅＮＢ＃１０に対して、ＭＢＳＦＮサブフレームとして設定されるべきサブフレームに係る情報（ＭＢＳＦＮサブフレームのパターン）を含む「（Ｘ２）ｅＮＢ  Ｃｏｎｆｉｇｕｒａｔｉｏｎ  Ｕｐｄａｔｅ」或いは「Ｘ２  Ｓｅｔｕｐ  Ｒｅｑｕｅｓｔ」を送信する。
【００７３】
ステップＳ２００２において、無線基地局ｅＮＢ＃１０は、無線基地局ｅＮＢ＃１に対して、「（Ｘ２）ｅＮＢ  Ｃｏｎｆｉｇｕｒａｔｉｏｎ  Ｕｐｄａｔｅ  Ａｃｋｎｏｗｌｅｄｇｅｍｅｎｔ」或いは「Ｘ２  Ｓｅｔｕｐ  Ｒｅｓｐｏｎｓｅ」を送信する。
【００７４】
ここで、無線基地局ｅＮＢ＃１０は、ＭＢＳＦＮサブフレームのパターンによって指定されているサブフレームを、ＭＢＳＦＮサブフレームとして設定する。なお、かかる時点では、無線基地局ｅＮＢ＃１０は、「ｅＩＣＩＣ」に用いられるＭＢＳＦＮサブフレームと「ｅＩＣＩＣ」に用いられないＭＢＳＦＮサブフレームとを区別することができない。
【００７５】
ステップＳ２００３において、無線基地局ｅＮＢ＃１は、無線基地局ｅＮＢ＃１０に対して、ＡＢＳとして設定されるべきサブフレームに係る情報（ＡＢＳのパターン）を含む「Ｌｏａｄ  Ｉｎｆｏｒｍａｔｉｏｎ」を送信する。
【００７６】
ここで、無線基地局ｅＮＢ＃１０は、ＡＢＳのパターンによって指定されているサブフレームを、ＡＢＳとして設定し、上述の図４乃至図８に示すように、「ｅＩＣＩＣ」に用いられているサブフレームを検出する。
【００７７】
ステップＳ２００４において、無線基地局ｅＮＢ＃１は、無線基地局ｅＮＢ＃１０に対して、ＭＢＳＦＮサブフレームとして設定されているサブフレームの変更を指示する情報（ＭＢＳＦＮサブフレームのパターンの変更情報）及びＡＢＳとして設定されているサブフレームの変更を指示する情報（ＡＢＳのパターンの変更情報）を含む「（Ｘ２）ｅＮＢ  Ｃｏｎｆｉｇｕｒａｔｉｏｎ  Ｕｐｄａｔｅ」を送信する。
【００７８】
ステップＳ２００５において、無線基地局ｅＮＢ＃１０は、かかる「ＭＢＳＦＮサブフレームのパターンの変更情報」及び「ＡＢＳのパターンの変更情報」に基づいて、ＭＢＳＦＮサブフレーム及びＡＢＳの設定を変更し、無線基地局ｅＮＢ＃１に対して、「（Ｘ２）ｅＮＢ  Ｃｏｎｆｉｇｕｒａｔｉｏｎ  Ｕｐｄａｔｅ  Ａｃｋｎｏｗｌｅｄｇｅｍｅｎｔ」を送信する。
【００７９】
本変更例１に係る移動通信システムによれば、図１３に示すシーケンスによって、「ｅＩＣＩＣ」に用いられないＭＢＳＦＮサブフレームの設定、及び、「ｅＩＣＩＣ」に用いられるＡＢＳやＭＢＳＦＮサブフレームの設定を適切に変更することができる。
【００８０】
また、本変更例１に係る移動通信システムによれば、１つの「（Ｘ２）ｅＮＢ  Ｃｏｎｆｉｇｕｒａｔｉｏｎ  Ｕｐｄａｔｅ」によって、「ＭＢＳＦＮサブフレームのパターンの変更情報」及び「ＡＢＳのパターンの変更情報」の両方を通知することができるので、「ｅＩＣＩＣ」に用いられないＭＢＳＦＮサブフレームの設定、及び、「ｅＩＣＩＣ」に用いられるＡＢＳやＭＢＳＦＮサブフレームの設定を変更するために送受信するメッセージの数を減らすことができる。
【００８１】
以上に述べた本実施形態の特徴は、以下のように表現されていてもよい。
【００８２】
本実施形態の第１の特徴は、無線基地局ｅＮＢ＃１（第１無線基地局）配下のセル＃１（第１セル）内に無線基地局ｅＮＢ＃１０（第２無線基地局）配下のセル＃１０（第２セル）が地理的に重畳して配置されている移動通信システムにおいて、ＭＢＳＦＮサブフレーム（第１サブフレーム）として設定されているサブフレーム及びＡＢＳ（第２サブフレーム）として設定されているサブフレームを用いて、セル＃１とセル＃１０との間で「ｅＩＣＩＣ（セル間干渉調整）」を行う移動通信方法であって、無線基地局ｅＮＢ＃１が、無線基地局ｅＮｂ＃１０から受信した「ＭＢＳＦＮサブフレームのパターン（第１設定情報）」によって指定されているサブフレームを、ＭＢＳＦＮサブフレームとして設定する工程と、無線基地局ｅＮＢ＃１０が、無線基地局ｅＮＢ＃１から受信した「ＡＢＳのパターン（第２設定情報）」によって指定されているサブフレームを、ＡＢＳとして設定する工程と、無線基地局ｅＮＢ＃１０が、無線基地局ｅＮＢ＃１から受信した「ＭＢＳＦＮサブフレームのパターンの変更情報（第１サブフレームの変更情報）」に基づいて、ＭＢＳＦＮサブフレームの設定を変更すると共に、ＡＢＳの設定を解除する工程と、無線基地局ｅＮＢ＃１０が、無線基地局ｅＮＢ＃１から受信した「ＡＢＳのパターン」によって指定されているサブフレームを、ＡＢＳとして新たに設定する工程とを有しており、無線基地局ｅＮＢ＃１は、ＭＢＳＦＮサブフレームとして設定されているサブフレームでは、先頭のＯＦＤＭシンボルにおいてのみＣＲＳ（第１セル用の参照信号）を送信することができ、無線基地局ｅＮＢ＃１は、ＡＢＳとして設定されているサブフレームでは、所定のＯＦＤＭシンボルにおいてＣＲＳを送信することができることを要旨とする。
【００８３】
本実施形態の第２の特徴は、無線基地局ｅＮＢ＃１配下のセル＃１内に無線基地局ｅＮＢ＃１０配下のセル＃１０が地理的に重畳して配置されている移動通信システムにおいて、ＭＢＳＦＮサブフレームとして設定されているサブフレーム及びＡＢＳとして設定されているサブフレームを用いて、セル＃１とセル＃１０との間で「ｅＩＣＩＣ」を行う移動通信方法であって、無線基地局ｅＮＢ＃１０が、無線基地局ｅＮＢ＃１から受信した「ＭＢＳＦＮサブフレームのパターン」によって指定されているサブフレームを、ＭＢＳＦＮサブフレームとして設定する工程と、無線基地局ｅＮＢ＃１０が、無線基地局ｅＮＢ＃１から受信した「ＡＢＳのパターン」によって指定されているサブフレームを、ＡＢＳとして設定する工程と、無線基地局ｅＮＢ＃１０が、無線基地局ｅＮＢ＃１から受信した１つの「（Ｘ２）ｅＮＢ  Ｃｏｎｆｉｇｕｒａｔｉｏｎ  Ｕｐｄａｔｅ（メッセージ）」に含まれる「ＭＢＳＦＮサブフレームのパターンの変更情報」及び「ＡＢＳのパターンの変更情報（第２サブフレームの変更情報）」に基づいて、ＭＢＳＦＮサブフレーム及びＡＢＳの設定を変更する工程とを有しており、無線基地局ｅＮＢ＃１０は、ＭＢＳＦＮサブフレームとして設定されているサブフレームでは、先頭のＯＦＤＭシンボルにおいてのみＣＲＳを送信することができ、無線基地局ｅＮＢ＃１は、ＡＢＳとして設定されているサブフレームでは、所定のＯＦＤＭシンボルにおいてＣＲＳを送信することができることを要旨とする。
【００８４】
本実施形態の第３の特徴は、無線基地局ｅＮＢ＃１配下のセル＃１内に無線基地局ｅＮＢ＃１０配下のセル＃１０が地理的に重畳して配置されている移動通信システムであって、ＭＢＳＦＮサブフレームとして設定されているサブフレーム及びＡＢＳとして設定されているサブフレームを用いて、セル＃１とセル＃１０との間で「ｅＩＣＩＣ」を行うことができるように構成されている移動通信システムにおいて、無線基地局ｅＮＢ＃１０として機能することができる無線基地局ｅＮＢであって、無線基地局ｅＮＢ＃１０が、無線基地局ｅＮＢ＃１から受信した「ＭＢＳＦＮサブフレームのパターン」によって指定されているサブフレームを、ＭＢＳＦＮサブフレームとして設定し、無線基地局ｅＮＢ＃１から受信した「ＡＢＳのパターン」によって指定されているサブフレームを、ＡＢＳとして設定するように構成されている設定部２２を具備しており、設定部２２は、無線基地局ｅＮＢ＃１から受信した「ＭＢＳＦＮサブフレームのパターンの変更情報」に基づいて、ＭＢＳＦＮサブフレームの設定を変更すると共に、ＡＢＳの設定を解除するように構成されていることを要旨とする。
【００８５】
本実施形態の第３の特徴は、無線基地局ｅＮＢ＃１配下のセル＃１内に無線基地局ｅＮＢ＃１０配下のセル＃１０が地理的に重畳して配置されている移動通信システムであって、ＭＢＳＦＮサブフレームとして設定されているサブフレーム及びＡＢＳとして設定されているサブフレームを用いて、セル＃１とセル＃１０との間で「ｅＩＣＩＣ」を行うことができるように構成されている移動通信システムにおいて、無線基地局ｅＮＢ＃１として機能することができる無線基地局ｅＮＢであって、ＭＢＳＦＮサブフレーム及びＡＢＳとして設定されるべきサブフレームを決定するように構成されている設定部１１と、無線基地局ｅＮＢ＃１０に対して、「ＭＢＳＦＮサブフレームのパターン」によって、ＮＢＳＦＮサブフレームとして設定されるべきサブフレームを通知し、「ＡＢＳのパターン」によって、ＡＢＳとして設定されるべきサブフレームを通知するように構成されている送信部１２とを具備しており、設定部１１が、ＭＢＳＦＮサブフレーム及びＡＢＳとして設定されるべきサブフレームを変更することを決定した場合、送信部１２は、１つの「（Ｘ２）ｅＮＢ  Ｃｏｎｆｉｇｕｒａｔｉｏｎ  Ｕｐｄａｔｅ」によって、無線基地局ｅＮＢ＃１０に対して、ＭＢＳＦＮサブフレームのパターンの変更情報及びＡＢＳのパターンの変更情報を通知するように構成されていることを要旨とする。
【００８６】
なお、上述の無線基地局ｅＮＢ＃１/＃１０の動作は、ハードウェアによって実施されてもよいし、プロセッサによって実行されるソフトウェアモジュールによって実施されてもよいし、両者の組み合わせによって実施されてもよい。
【００８７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃１/＃１０内に設けられていてもよい。また、かかる記憶媒体及びプロセッサは、ディスクリートコンポーネントとして無線基地局ｅＮＢ＃１/＃１０内に設けられていてもよい。
【００８９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９０】
ｅＮＢ＃１、ｅＮＢ＃１０…無線基地局
１１、２２…設定部
１２…送信部
２１…受信部
【図１】
2012090356.tif 000003
【図２】
2012090356.tif 000004
【図３】
2012090356.tif 000005
【図４】
2012090356.tif 000006
【図５】
2012090356.tif 000007
【図６】
2012090356.tif 000008
【図７】
2012090356.tif 000009
【図８】
2012090356.tif 000010
【図９】
2012090356.tif 000011
【図１０】
2012090356.tif 000012
【図１１】
2012090356.tif 000013
【図１２】
2012090356.tif 000014
【図１３】
2012090356.tif 000015